(57)【要約】【課題】利用者を素人モデルとして広告用の画像を簡単かつ安価に撮影でき、撮影した画像のＳＮＳ等への投稿による宣伝効果を得ることができる撮影スタジオ装置を提供する。【解決手段】予め準備した画像として、商品広告、ブランド広告、店舗広告、雑誌広告などの予め準備された複数の宣伝広告用の文字、図形により形成された広告画像を含む背景画像を記憶手段としてのメモリ６２に予め記憶させておき、利用者により選択された所望の広告画像をメモリ６２から読み出し、カメラ２１による当該利用者の撮影画像を読み出した広告画像に合成した合成画像を形成し、通信装置７３によりサーバー装置に合成画像をアップロードする。【選択図】図２
2018207365.tif 000002
【特許請求の範囲】
【請求項１】
静止画および動画が撮影可能なカメラにより利用者を撮影して得られた撮影画像をモニタ用表示手段に表示し、予め準備した画像に前記撮影画像に合成して合成画像を形成する撮影スタジオ装置であって、
前記カメラと前記モニタ用表示手段を内蔵した筐体と、前記筐体と着脱可能に設けられ、前記筐体と合体することにより所定空間を仕切って撮影ブースを形成する仕切り部材と、前記筐体に収容され前記カメラのシャッターオンに基づき前記カメラを制御する制御手段と、前記筐体に収容され、前記撮影画像または／および前記合成画像をダウンロード可能に外部のサーバー装置にアップロードする通信手段とを備えた撮影スタジオ装置において、
前記予め準備した画像として、商品広告、ブランド広告、店舗広告、雑誌広告などの複数の宣伝広告用の文字、図形により形成された静止画または動画の広告画像を含む背景画像を書き換え可能に記憶した記憶手段と、
前記記憶手段から所望の前記広告画像を選択するための選択操作手段とを備え、
前記制御手段は、
前記選択操作手段により前記記憶手段から読み出された前記広告画像を前記モニタ用表示手段に表示し、
前記モニタ用表示手段に表示される前記広告画像に、前記カメラのシャッターオンにより得られる当該利用者の静止画または動画の撮影画像を合成した静止画または動画の合成画像を形成し、
前記通信手段を制御して前記合成画像を前記サーバー装置にアップロードする
ことを特徴とする撮影スタジオ装置。
【請求項２】
前記広告画像は、広告元により作成されて事前に前記記憶手段に記憶されたものであることを特徴とする請求項１に記載の撮影スタジオ装置。
【請求項３】
前記広告画像は、当該装置の設置場所において前記カメラによる撮影に先立って準備されたものであることを特徴とする請求項１に記載の撮影スタジオ装置。
【請求項４】
前記筐体の外側面に設けられ、前記制御手段により形成された前記合成画像を広告用に表示する広告用表示手段を更に備えることを特徴とする請求項１ないし３のいずれか１項に記載の撮影スタジオ装置。
【請求項５】
前記カメラのシャッターオンは、利用者による操作に基づくものであることを特徴とする請求項１ないし４のいずれか１項に記載の撮影スタジオ装置。
【請求項６】
前記カメラのシャッターオンは、タイマの計時動作に基づく自動シャッターに基づくものであることを特徴とする請求項１ないし４のいずれか１項に記載の撮影スタジオ装置。
【請求項７】
前記選択操作手段は、利用者が操作できるものであることを特徴とする請求項１ないし６のいずれか１項に記載の撮影スタジオ装置。
【請求項８】
前記選択操作手段は、利用者ではなく特定の管理者が操作できるものであることを特徴とする請求項１ないし６のいずれか１項に記載の撮影スタジオ装置。
【発明の詳細な説明】
【技術分野】
【０００１】
本発明は、予め準備した背景画像にカメラによる撮影画像に合成して合成画像を形成する撮影スタジオ装置に関する。
【背景技術】
【０００２】
従来、例えば特許文献１に記載のように、筐体に設けられた撮影ブースにおいて、カメラにより利用者を撮影し、筐体に撮影ブースとは別に設けられた編集ブースにおいて、撮影画像に対して利用者が入力した編集画像を合成し、シール台紙に合成画像を印刷して利用者に提供するいわゆるプリクラと称される画像合成装置がある。
【０００３】
また、近年、上記した画像合成装置において、通信網を介して外部のサーバー装置にアクセスし、撮影により得られた撮影画像および編集により得られた合成画像を特定するための特定情報に関連付けてサーバー装置にアップロードし、特定情報に基づいてサーバー装置から対応する撮影画像および／または合成画像をダウンロードする通信機能を備えることも提案されている。
【先行技術文献】
【特許文献】
【０００４】
【特許文献１】特開２０１３−２５５２１７号公報
【発明の概要】
【発明が解決しようとする課題】
【０００５】
しかし、従来のこの種の画像合成装置は、ゲームセンターなど限られた場所にしか設置されず、しかも移動不可能に固定設置されるため、利用者が上記したような撮影および編集の遊技を楽しむには装置が設置されているゲームセンターに出向いて遊技しなければならず、利用者層も小中高の学生に限られることが多く、遊技の機会が制限されるという問題があり、その一方で、例えば学園祭、結婚式やコンサート等のイベント会場など、多くの人が集まる場所で、幅広い年齢の利用者が撮影や編集プレイを楽しめるようにすることが望まれている。
【０００６】
さらに、従来の画像合成装置の場合、シール台紙に撮影画像や編集を施した合成画像を印刷して仲間同士で楽しむことはできるが、撮影画像のデータ量の違いなどから写真印画紙にプリントしてきれいで多様なポートレート写真を一人で楽しむようには構成されておらず、きれいなポートレート写真をゲームセンター以外の場所において一人で楽しむという需要に応えることができない。
【０００７】
また、従来の画像合成装置は設置場所が限定されているため、美容室やブティック、アパレルショップ、デパートなどの服飾販売店に自由に搬入設置することができず、例えば上記したようにサーバー装置に撮影画像をアップロードする機能を有していても、美容室で提供可能なヘアースタイルを撮影したり、ブティック、アパレルショップ、デパートなどの服飾販売店で販売可能な服を着たモデルを撮影し、Ｉｎｓｔａｇｒａｍ（登録商標）やＦａｃｅｂｏｏｋ（登録商標）、Ｔｗｉｔｔｅｒ(登録商標)、ＬＩＮＥ（登録商標）などのＳＮＳ（Ｓｏｃｉａｌ  Ｎｅｔｗｏｒｋｉｎｇ  Ｓｅｒｖｉｃｅ）に撮影した画像を手軽に投稿して、美容室や服飾販売店等の店舗の広告宣伝や販売促進に供するような使い方は不可能であることから、撮影画像を宣伝や販売促進に利用できるように、これら美容室や服飾販売店等に簡単に持ち込めるようにすることも望まれている。
【０００８】
ところで、上記した容室や服飾販売店等の店舗広告をはじめ、商品広告や雑誌広告の作成には、モデル、カメラマンのほか撮影スタジオが必要になるが、これらを準備するにはコストがかかる上、撮影日時も制限されるため、コストや時間をかける割には宣伝効果が低いことがある。一方、最近では、若者を中心にスマートフォンなどの携帯端末を通じて、携帯端末で撮影した写真やダウンロードした写真をＳＮＳに投稿することが盛んに行われており、例えば商品の広告に利用者自身の画像が使用された場合には、その利用者の画像が使用された商品広告の画像をＳＮＳに利用者自身が投稿して反響を楽しむことが考えられるが、この場合の２次的効果として、投稿された商品広告の画像を見た第三者は、いわゆるプログラムモデルではない素人モデルの商品広告を見ることになり、自分も広告のモデルになれるという楽しみが増えると同時に、商品の宣伝に自分が関われるという喜びを味わうことができ、素人が広告モデルになって簡単に広告用の写真を撮影できる装置の開発が望まれている。
【０００９】
本発明は、利用者を素人モデルとして広告用の画像を簡単かつ安価に撮影でき、撮影した画像のＳＮＳ等への投稿による広告効果を得ることができる撮影スタジオ装置を提供することを目的とする。
【課題を解決するための手段】
【００１０】
上記した目的を達成するために、本発明に係る撮影スタジオ装置は、静止画および動画が撮影可能なカメラにより利用者を撮影して得られた撮影画像をモニタ用表示手段に表示し、予め準備した画像に前記撮影画像に合成して合成画像を形成する撮影スタジオ装置であって、前記カメラと前記モニタ用表示手段を内蔵した筐体と、前記筐体と着脱可能に設けられ、前記筐体と合体することにより所定空間を仕切って撮影ブースを形成する仕切り部材と、前記筐体に収容され前記カメラのシャッターオンに基づき前記カメラを制御する制御手段と、前記筐体に収容され、前記撮影画像または／および前記合成画像をダウンロード可能に外部のサーバー装置にアップロードする通信手段とを備えた撮影スタジオ装置において、前記予め準備した画像として、商品広告、ブランド広告、店舗広告、雑誌広告などの複数の宣伝広告用の文字、図形により形成された静止画または動画の広告画像を含む背景画像を書き換え可能に記憶した記憶手段と、前記記憶手段から所望の前記広告画像を選択するための選択操作手段とを備え、前記制御手段は、前記選択操作手段により前記記憶手段から読み出された前記広告画像を前記モニタ用表示手段に表示し、前記モニタ用表示手段に表示される前記広告画像に、前記カメラのシャッターオンにより得られる当該利用者の静止画または動画の撮影画像を合成した静止画または動画の合成画像を形成し、前記通信手段を制御して前記合成画像を前記サーバー装置にアップロードすることを特徴としている。
【００１１】
係る構成によれば、予め準備した画像として、商品広告、ブランド広告、店舗広告、雑誌広告などの複数の宣伝広告用の文字、図形により形成された広告画像を含む背景画像を記憶手段に記憶させておき、選択操作手段により記憶手段から所定の広告画像を読み出してこれにカメラによる当該利用者の撮影画像を合成した合成画像を形成するため、利用者は、自身が広告のモデルになった気分を楽しむことができる。また、若者の間では最近の流行として写真をＳＮＳに投稿し、投稿された写真を閲覧することが行われていることから、利用者が自身の撮影画像を合成した合成画像をサーバー装置にアップロードすると、いつでもこれをダウンロードできるため、ダウンロードした合成画像を利用者がＳＮＳに投稿することによって合成画像が宣伝効果を発揮することになり、広告画像に広告を提供する提供元は、撮影専用のプロのモデルやカメラマンによらずに大きな広告効果を有する広告写真を得ることができる上、多くの人の目にその広告写真を触れさせることが可能になり、利用者および広告画像に広告を提供する広告元のいずれにとっても有益な撮影スタジオ装置を提供することができる。
【００１２】
さらに、カメラ等の撮影機材や制御装置などを収容している筐体と、仕切部材による撮影ブースとを分解することができるので、例えば広告を提供する提供元が指定する場所への運搬を容易に行うことができ、しかも場所を選ばずに設置することができ、撮影専用のプロモデルやプロカメラマンを必要とせずに広告写真を撮影可能な撮影スタジオ装置を提供することができる。
【００１３】
また、本発明では、前記広告画像は、広告元により作成されて事前に前記記憶手段に記憶されたものであるとよく、当該装置の設置場所において前記カメラによる撮影に先立って準備されたものであってもよい。
【００１４】
係る構成によれば、広告を提供する広告元が予め準備して記憶手段に記憶された広告画像、或いは、当該スタジオ装置の設置場所で他のカメラで撮影されたり、インターネットなどの通信網を介して取り込まれるなどして準備され記憶手段に記憶された広告画像を使用し、これに利用者の撮影画像を合成することで、既存の広告概念にとらわれない自由な発想の広告機能を発揮することが期待できる。
【００１５】
また、前記筐体の外側面に設けられ、前記制御手段により形成された前記合成画像を広告用に表示する広告用表示手段を更に備えるとよい。こうすると、筐体の外側面に設けた広告用表示手段を広告媒体として利用するいわゆるサイネージを簡単に実現できる上、撮影ブース内で撮影され広告画像に合成された合成画像を広告用表示手段に表示することによって、装置の設置場所において、素人である利用者をモデルとした合成画像を利用した広告宣伝が可能になり、これまでにない新しい広告機能を期待することができる。
【００１６】
また、本発明では、前記カメラのシャッターオンは、利用者による操作に基づくものであってもよく、タイマの計時動作に基づく自動シャッターに基づくものであってもよい。
【００１７】
係る構成によれば、利用者による操作によりカメラのシャッターをオンする場合には、利用者は自由なタイミングでシャッターを遠隔操作して撮影することができて、利用者の表情が格式張ることがなく、利用者を自然な表情で撮影することができる一方、タイマ等によりカメラのシャッターを自動オンする場合には、カウントダウンの合図等に基づいて所望のポーズをとりつつ撮影することができる。
【００１８】
また、本発明では、前記選択操作手段は、利用者が操作できるものであるとよく、利用者ではなく特定の管理者が操作できるものであってもよい。
【００１９】
係る構成によれば、利用者が選択操作手段を操作する場合、利用者は好みの広告画像を選択することができて、素人である利用者は広告のモデルになる気分をよりいっそう楽しむことができる一方、特定の管理者が選択操作手段を操作する場合には、広告画像の管理を一元的に行うことができて管理が容易になる。
【発明の効果】
【００２０】
本発明によれば、選択操作手段により記憶手段から所定の広告画像を読み出してこれにカメラによる当該利用者の撮影画像を合成した合成画像を形成するため、利用者は、自身が広告のモデルになった気分を楽しむことができる。また、利用者が、自身の撮影画像を合成した合成画像をサーバー装置にアップロードすると、いつでもこれをダウンロードできるため、ダウンロードした合成画像を利用者がＳＮＳに投稿することより、投稿した合成画像が宣伝効果を発揮することが期待でき、広告画像に広告を提供する広告元は、撮影専用もプロのモデルやカメラマンによらずに広告写真を安価に得ることができる上、多くの人の目にその広告写真を触れさせることで大きな広告効果を得ることができ、利用者および広告画像に広告を提供する広告元のいずれにとっても有益な撮影スタジオ装置を提供することができる。
【図面の簡単な説明】
【００２１】
【図１】本発明に係る撮影スタジオ装置の一実施形態の外観斜視図である。
【図２】図１の撮影スタジオ装置が具備する電気的構成を模式的に示すブロック図である。
【図３】本発明の一実施形態におけるシステム全体の概略構成図である。
【図４】本発明の一実施形態の動作説明図である。
【図５】本発明の一実施形態における撮影処理の動作説明用フローチャートである。
【図６】本発明の一実施形態における編集処理の動作説明用フローチャートである。
【発明を実施するための形態】
【００２２】
本発明に係る撮影スタジオ装置の一実施形態について、図１ないし図６を参照して説明する。なお、図１は撮影スタジオ装置の外観構成を示し、図２はその電気的構成のブロック図である。
【００２３】
図１、図２に示すように、撮影スタジオ装置１は、装置筐体２に、撮影プレイを行う撮影ブース３ａと、編集プレイを行う編集ブース３ｂとを備えている。
【００２４】
撮影スタジオ装置１は、図１に示すように、仕切り部材４と筐体２とが別々作成されて、仕切り部材４と筐体２とが分離された状態で運搬され、設置場所で組み立てて撮影ブース３ａが形成される。筐体２の下部には運搬しやすいように複数のキャスター５が設けられ、仕切り部材４は、筐体２に対向する側に床面に固定自在に立設される複数の支柱と、板金や樹脂板等の壁板とより構成され、撮影中の利用者を囲むように平面視でコ字状またはＵ字状をなすように組み立てられるが、当初、各支柱と壁板とが分解した状態で運搬され、設置場所において筐体２に着脱可能に合体されるようになっている。
【００２５】
そして、図１に示すように、仕切り部材４の端部を筐体２に接合して仕切り部材４を筐体２に合体させることにより撮影ブース３ａが形成され、ＢＧＭ等のスピーカからの音が外部に漏れないように撮影ブース３ａの天井部分が天井板により閉塞されて、仕切部材４の一部は出入口としてカーテンにより開閉自在に閉塞され、簡易な撮影スタジオが形成される。
【００２６】
そして、この撮影ブース３ａには、撮影ブース３ａ内に入った利用者の前方位置の適当な高さの位置にカラーＣＣＤカメラ等のカメラ２１（図２参照）が設けられ、さらにカメラ２１の下方には液晶ディスプレイ（ＬＣＤ：Ｌｉｑｕｉｄ  Ｃｒｙｓｔａｌ  Ｄｉｓｐｌａｙ）等のタッチパネル撮影部モニタ２２（図２参照）が設けられ、カメラ２１によるモニタ画像や撮影のための各種操作ボタンが表示され、クロマキーカーテン（図示省略）をバックに撮影が行われる。また、撮影手順の音声案内やＢＧＭ（Ｂａｃｋ  Ｇｒｏｕｎｄ  Ｍｕｓｉｃ）等を出力する撮影部スピーカ２７（図２参照）が設けられている。ここで、撮影部モニタ２２が、本発明におけるモニタ用表示手段に相当する。
【００２７】
また、撮影ブース３ａ内には、蛍光灯２３（図２参照）、ストロボ発光部２４（図２参照）およびストロボ制御装置２５（図２参照）などの照明系が設けられている。蛍光灯２３は、撮影ブース３ａ内の利用者を前方および上方から照らして、カメラ２１による撮影に必要な露光量を確保し、ストロボ発光部２４は、筐体２および利用者の後方である仕切り部材４に複数個設置され、カメラ２１が撮影を行う瞬間に予め設定された撮影パターンに応じて発光強度を変化させ、利用者を照らして撮影時における影の発生を抑える。その際、ストロボ発光部２４の発光タイミングや発光量は、後述するＣＰＵの制御に基づきストロボ制御装置２５によって調節される。なお、ストロボ発光部２４は、複数個設けなくても、最低限筐体２に１個だけ設けておけばよい。
【００２８】
さらに、撮影ブース３ａ内には利用者が手に持ってカメラ２１のシャッターを操作するためのリモコン装置２９、および利用者によるリモコン装置２９の操作による操作信号を検知するセンサー２８が配置される。ここで、リモコン装置２９からの操作信号をセンサー２８が受信すると、受信した操作信号を本発明におけるシャッターオンのオン信号と判断して、後述するＣＰＵ６１がカメラ２１のシャッターおよび各ストロボ発光部２４を作動させる。
【００２９】
編集ブース３ｂは、図１に示すように筐体２の外側面に当たる撮影ブースとは反対側面に形成されている。図１に示すように、編集ブース３ｂには、例えば適当な高さの卓上に編集対象の撮影画像等を表示するタッチパネルからなる編集部モニタ（本発明の表示手段に相当）１１が設けられ、編集部モニタ１１の左横（または右横）に入力手段に相当する入力ペン１２が配置され、利用者は入力ペン１２により編集部モニタ１１を操作することで編集部モニタ１１に表示される画像に所定の編集を施すことができ、入力ペン１２により入力された文字や図形、スタンプ等の編集画像がモニタ１１の表示画像に合成される。また、編集部モニタ１１の左右には、編集手順のガイダンスやＢＧＭ出力等を行う一対の編集部スピーカ１３が配設されており、編集ブース３ｂにおける音声案内や編集時のＢＧＭ等が出力される。
【００３０】
ここで、編集部モニタ１１には、撮影部モニタ２２と同様に、ＬＣＤのほか陰極線管式、リアプロジェクション式の表示パネルが採用され、デジタイザにより入力ペン１２の操作位置が検出されるようになっており、デジタイザとしては、赤外線方式、容量結合方式など、種々の方式が考えられるが、本実施形態においては、可視光に対する透過性があり、入力ペン１２との組み合わせにより使用できるものであって、複数の入力を識別することができるものであればどのような方式のものであってもよい。
【００３１】
各ブース３ａ、３ｂの各部は、本発明における制御手段に相当するマイクロコンピュータ構成の主制御装置６０により制御される。主制御装置６０は、図２に示すように、ＣＰＵ（Ｃｅｎｔｒａｌ  Ｐｒｏｃｅｓｓｉｎｇ  Ｕｎｉｔ）６１、メモリ６２およびＨＤＤ（Ｈａｒｄ  Ｄｉｓｋ  Ｄｒｉｖｅ）６３で構成され、ＣＰＵ６１は、主制御装置６０における基本プログラムの他、撮影プログラム、編集プログラムおよび画像処理プログラム等の各種プログラムを実行する。メモリ６２は、フラッシュメモリ等の不揮発性メモリおよびＲＡＭ（Ｒａｎｄｏｍ  Ａｃｃｅｓｓ  Ｍｅｍｏｒｙ）で構成されており、ＣＰＵ６１で実行される各種プログラムや画像データ等を書き換え可能に一時記憶する。ＨＤＤ６３は、ＣＰＵ６１で実行される各種プログラムや撮影条件、編集条件の設定のための各種データを保存する。さらに、主制御装置６０は、各スピーカ１３、２７による音声案内を制御する音声制御装置６４を備える。
【００３２】
この主制御装置６０は、ＣＰＵ６１により撮影プログラムを実行することで、撮影ブース３ａでの利用者を被写体とする撮影を実行して撮影画像を取得し、得られた撮影画像をＨＤＤ６３に保存するとともに、撮影画像を編集部モニタ１１の表示画面に表示する。
【００３３】
このとき、メモリ６２或いはＨＤＤ６３に予め記憶された複数の背景画像のなかから選択された背景画像が撮影部モニタ２２に表示され、利用者は、撮影部モニタ２２の広告背景画像に重畳して表示されるカメラ２１による自身のモニタ画像をみながら撮影ポーズを決め、所望のタイミングでリモコン装置２９を操作してカメラ２１のシャッターオンの操作を行うことにより、選択された背景画像に利用者の撮影画像が合成された合成画像が形成されて、撮影画像とともに合成画像がＨＤＤ６３に保存される。
【００３４】
また、主制御装置６０はＣＰＵ６１により編集プログラムを実行することで、編集ブース３ｂにおいて、編集部モニタ１１に表示された静止画像に対して利用者の入力ペン１２の操作等により入力された編集画像を合成して合成画像を形成する。
【００３５】
さらに、図２に示すように、撮影スタジオ装置１は、主制御装置６０と撮影ブース３ａとの信号の入出力を制御する入出力制御装置７１と、主制御装置６０から外部装置へデータを送信出力する通信装置（本発明の通信手段に相当）７３とを備える。通信装置７３により、図３に示すように主制御装置６０がインターネット等の通信網ＮＴに接続され、外部に設けられたコンピュータＣＰおよびデータベースＤＢを有するサーバー装置ＳＶに、撮影スタジオ装置１で撮影された撮影画像および／または編集が施された合成画像をダウンロード可能にアップロードする。このとき、アップロードする撮影画像または合成画像のファイルサイズは、印画紙に高画質でプリントが可能な程度のサイズである。
【００３６】
ところで、本発明における記憶手段としてのメモリ６２に予め記憶されている背景画像には、種々の撮影シーンに応じたシーン別背景画像のほか、商品広告、ブランド広告、店舗広告、雑誌広告などの予め準備された複数の宣伝広告用の文字、図形により形成された広告画像を含んでいる。この広告画像は、例えば図４（ａ）に示すように、画像の大枠内に商品名とそのキャッチコピーなどが掲載された商品広告や、同図（ｂ）に示すように、画像の大枠内にブランド名とそのキャッチコピーなどが掲載されたブランド広告、同図（ｃ）に示すように、画像の大枠内に店舗名とその店舗情報などが掲載された店舗広告や、同図（ｄ）に示すように、画像の大枠内に雑誌名とキャッチコピーのほか記事見出しなどが掲載された雑誌広告など、広告元が予め複数の宣伝広告用の文字、図形により形成して準備したものが書き換え可能にメモリ６２に予め記憶されている。ここで、図４に示す各種の広告画像の大枠における主として空きスペースに利用者の撮影画像が配置された状態で合成されることになる。なお、記憶手段はＨＤＤ６３であってもよい。
【００３７】
そして、例えば撮影部モニタ２２に表示される選択ボタン画像を利用者がタッチ操作すると、ＣＰＵ６１の制御により、記憶手段であるメモリ６２から、所望の広告画像を選択できるようになっており、利用者が選択した広告画像が撮影部モニタ２２に表示される。ここで、撮影部モニタ２２に表示される選択ボタン画像が、本発明における選択操作手段に相当する。なお、選択操作手段は、利用者ではなく特定の管理者のみが操作できるようにし、特定の管理者が予め選択した広告画像のみが撮影部モニタ２２に表示されるようにしてもよい。
【００３８】
次に、主制御装置６０のＣＰＵ６１による制御処理手順について、図４および図５のフローチャートを参照して説明する。
【００３９】
（撮影制御）
まず、撮影ブース３ａにおいて、利用者の受付制御処理を行うＣＰＵ６１の動作について説明する。図５に示すように、撮影ブース３ａでは、ＣＰＵ６１により撮影部モニタ２２が制御され、予め準備された所定のデモムービーが撮影部モニタ２２に表示され（ステップＳ１１）、撮影を開始してよいか否かの判定がなされる（ステップＳ１２）。この判定結果がＮＯであれば、上記したステップＳ１１に戻り、例えば撮影部モニタ２２に表示される「撮影ＯＫボタン」が操作されるなどして、ステップＳ１２の判定をＹＥＳで通過するまでこの判定が繰り返される。
【００４０】
そして、利用者による遊技開始の意思表示に基づきステップＳ１２をＹＥＳで通過すると、ＣＰＵ６１により撮影部モニタ２２が制御され、撮影部モニタ２２の画面に「撮影スタート」等のメッセージが表示されるとともに、撮影部スピーカ２７から撮影開始を知らせる音声が出力される（ステップＳ１３）。
【００４１】
続いて、ＣＰＵ６１により撮影部モニタ２２が制御され、撮影部モニタ２２の画面に撮影に関する設定として、撮影イメージの選択画面が表示される（ステップＳ１４）。撮影イメージはストロボ発光部２４の発光強度やカメラ２１の露出時間等の撮影条件を調整したり、撮影により得られた画像のうち顔の一部の明るさや背景の明るさの調節し、ぼかしを入れる等の予め設定された画像処理を施すことによって撮影画像の仕上がりの印象を変化させるものであり、いくつかのパターンがＨＤＤ６３に記憶されている。
【００４２】
例えば、「Ｓｈｉｎｉｎｇ  Ｆｌａｒｅ」、「Ｎａｔｕｒａｌ  Ｐｏｒｔｒａｉｔ」、「Ｄｒｏｐ  Ｓｈａｄｏｗ」、「Ｃｌｅａｒ  Ｓｋｉｎ、Ｓｈｏｔ」、「Ｂａｃｋ  Ｌｉｇｈｔ  Ｓｈｏｔ」、「Ｃｒｅａｔｉｖｅ  Ｐｈｏｔｏ」等の撮影イメージに対する撮影条件および画像処理の条件がＨＤＤ６３に記憶されており、それぞれ「光の中で包まれたような柔らかな写真のイメージ」、「雑誌等のモデルライティングによる自然なポートレート写真」、「ドロップシャドウがバックに投影されるクールな写真」、「透き通るような透明肌を追求したライティング写真」、「逆光によるふんわり滑らかなアップ写真」、「正面ライティングによるハッキリした写真」のようなイメージの仕上がりとなる。
【００４３】
このとき、上記した撮影イメージの選択画面に基づく選択操作に続いて、同じステップＳ１４において、例えばメモリ６２に記憶されている複数の広告画像のサムネイル画像が撮影部モニタ２２に表示され、利用者がこれらの広告画像のなかから所望の広告画像を選択するための選択画面が表示され（ステップＳ１４）、利用者による所望の広告画像の選択が受け付けられる。
【００４４】
利用者により上記の複数の撮影イメージのうちのいずれかが選択されると、ストロボ制御装置２５が、利用者により選択された撮影パターンに応じた各ストロボ発光部２４の発光強度に関するデータをＨＤＤ６３から読み出し、各ストロボ発光部２４を制御する（ステップＳ１５）。ストロボ制御装置２５は、各ストロボ発光部２４のそれぞれに対して、利用者により選択された撮影パターンに応じた発光の有無、発光強度等を指定する。また、利用者により選択された広告画像（図４参照）が撮影部モニタ２２に表示される。
【００４５】
そして、撮影部モニタ２２に表示される広告画像に重畳表示されるカメラ２１による利用者自身のモニタ画像を見ながらポーズ決めが行われて利用者によりリモコン装置２９が操作されると、シャッターオンのオン信号が生成され、センサー２８がリモコン装置２９のオン信号を受信してカメラ２１のシャッターおよび各ストロボ発光部２４が操作され、撮影部モニタ２２に表示されるモニタ画像を見ながら所望のポーズをした利用者の撮影が実行される（ステップＳ１６）。撮影された画像には、上記した撮影イメージに応じた所定の画像処理が施される（ステップＳ１７）。
【００４６】
その後、ＣＰＵ６１により内蔵タイマ等により計時される撮影を開始してからの経過時間チェックが行われ、経過時間Ｔが予め撮影時間として設定された撮影時間Ｔｓより短い（Ｔ＜Ｔｓ）かどうかの判定がなされる（ステップＳ１８）。経過時間Ｔが設定時間Ｔｓをすでに超えていて（Ｔ≧Ｔｓ）、ステップＳ１８の判定結果がＮＯであれば、ステップＳ２０に移行し、経過時間Ｔが設定時間Ｔｓを未だ超えておらず、ステップＳ１８の判定結果がＹＥＳであれば、利用者によりここで撮影を終了するか、もう一度撮影を行うかの選択がなされる。ステップＳ１９において、利用者が撮影終了を選択したかどうかの判定がなされ（ステップＳ１９）、利用者が撮影終了を選択しステップＳ１９の判定結果がＹＥＳであればステップＳ２０に移行し、利用者が撮影終了を選択しなかった場合にはステップＳ１６に戻り、再度撮影が行われる。
【００４７】
ステップＳ２０において、ＣＰＵ６１により撮影部モニタ２２が制御され、撮影部モニタ２２に撮影終了の案内メッセージが表示されるとともに、撮影部スピーカ２７から撮影終了を知らせる音声が出力され、この撮影終了の報知により撮影制御が終了する。こうして、撮影された利用者の撮影画像が、選択された広告画像に合成されて合成画像が形成され、撮影された複数（規定枚数）の撮影画像および形成された複数（規定枚数）の合成画像がＨＤＤ６３に保存される。
【００４８】
（編集制御）
続いて、編集ブース３ｂにおいて、利用者の入力操作に基づく編集処理を行うＣＰＵ６１の動作について説明する。図５に示すように、編集ブース３ｂでは、ＣＰＵ６１により編集部モニタ１１が制御され、予め準備された所定のデモムービーが編集部モニタ１１の表示画面に表示され（ステップＳ３１）、ＣＰＵ６１により、編集開始の契機となる撮影ブース３ａでの撮影終了報知（上記ステップＳ２０の処理）が完了していて編集処理を開始してよいか否かの判断がなされる（ステップＳ３２）。この判定結果がＮＯであれば上記したステップＳ３１に戻り、ステップＳ３２の判定をＹＥＳで通過するまでこの判定が繰り返される。
【００４９】
そして、ＣＰＵ６１が撮影ブース３ａでの撮影終了報知を完了したと判断して、ステップＳ３２の判定をＹＥＳで通過すると、ＣＰＵ６１により編集部モニタ１１が制御され、編集部モニタ１１の表示画面に「編集スタート」とのメッセージが表示されるとともに、編集部スピーカ１３から編集開始を知らせる音声が出力される（ステップＳ３３）。
【００５０】
次に、撮影ブース３ａでの撮影により得られた規定枚数の合成画像（広告画像に撮影画像を合成したもの）のデータが編集部モニタ１１の撮影写真表示領域に表示され、その合成画像の中から編集対象とする画像が利用者により選択されると（ステップＳ３４）、編集部モニタ１１の所定の表示領域に表示された合成画像に対して、利用者による入力ペン１２等による文字や記号、スタンプなどの編集入力操作に基づく編集画像をさらに合成する処理が行われる（ステップＳ３５）。
【００５１】
その後、ＣＰＵ６１により、内蔵タイマ等により計時される編集を開始してからの経過時間チェックが行われ、経過時間Ｔが予め編集時間として設定された設定時間Ｔｅより短い（Ｔ＜Ｔｅ）かどうかの判定がなされる（ステップＳ３６）。経過時間Ｔが設定時間Ｔｅをすでに超えていて（Ｔ≧Ｔｅ）、ステップＳ３６の判定がＮＯであれば、ステップＳ３８に移行し、経過時間Ｔが設定時間Ｔｅを未だ超えておらず、ステップＳ３６の判定結果がＹＥＳであれば、利用者によりここで編集を終了するか、さらに編集を行うかの選択がなされる。ステップＳ３７において、利用者が編集終了を選択したかどうかの判定がなされ（ステップＳ３７）、利用者が編集終了を選択しステップＳ３７の判定結果がＹＥＳであればステップＳ３８に移行し、利用者が編集終了を選択しなかった場合にはステップＳ３４に戻り、再度編集を行う。
【００５２】
利用者による編集作業が終了すると、ＣＰＵ６１により編集部モニタ１１が制御され、編集部モニタ１１に編集終了の案内メッセージが表示されるとともに、編集部スピーカ１１３から編集終了を知らせる音声が出力される（ステップＳ３８）。その後、通信装置７３により、利用者による編集が加えられた合成画像、或いは、編集が加えられていない合成画像が利用者のメールアドレス等の識別情報（ＩＤ）と共に、インターネットＮＴ等の通信網を介して、サーバー装置ＳＶにダウンロード可能にアップロードされる（ステップＳ３９）。ここで、ステップＳ３５の画像合成処理において、合成画像のファイルサイズは、Ｌ版印画紙等に高画質でプリントできる程度の大きさに調整するとよい。ステップＳ３９の合成画像のアップロードにより、編集制御が終了する。
【００５３】
なお、図５、図６の処理では、記憶手段であるメモリ６２から所望の広告画像を選択してこれにカメラ２１による撮影画像を合成する場合について説明したが、メモリ６２から広告画像以外の予め準備された背景画像を選択し、これに撮影画像を合成することもでき、この場合も図５、図６に示す手順で処理が行われる。
【００５４】
そして、最近の若者間での流行として、スマートフォンなどの携帯端末で撮影した写真をＳＮＳに投稿する一方、他人によりＳＮＳに投稿された写真を閲覧することが盛んに行われていることから、利用者が自身の撮影画像を合成した合成画像をサーバー装置にアップロードすると、いつでもこれをダウンロードしてＳＮＳに投稿できるため、ダウンロードした合成画像を利用者がＳＮＳに投稿することによって、投稿された合成画像が大きな広告効果を発揮することになる。
【００５５】
そして、上記した撮影スタジオ装置１では、背景画像として、商品広告、ブランド広告、店舗広告、雑誌広告などの予め準備された複数の宣伝広告用の文字、図形により形成された広告画像を含む背景画像を記憶手段としてのメモリ６２に予め記憶させておき、利用者がメモリ６２から所望の広告画像を読み出してこれにカメラ２１による当該利用者の撮影画像を合成した合成画像を形成することができる。そのため、利用者は、自身が広告のモデルになった気分を楽しむことができる一方、利用者がダウンロードした合成画像をＳＮＳに投稿することによって合成画像が宣伝効果を発揮し、広告画像に広告を提供する広告元は、撮影専用のプロのモデルやカメラマンによらずに大きな広告効果を有する広告写真を得ることができる上、多くの人の目にその広告写真を触れさせることができる。
【００５６】
このとき、利用者がメモリ６２から複数の広告画像を選択して自身の撮影画像を合成させることにより、利用者は種々の広告のモデル気分を味わうことができる。
【００５７】
したがって、上記した実施形態によれば、利用者により選択された所望の広告画像をメモリ６２から読み出してこれにカメラ２１による当該利用者の撮影画像を合成した合成画像を形成するため、利用者は、自身が広告のモデルになった気分を楽しむことができ、利用者にとって今まで味わうことができなかったモデル気分を容易に味わうことが可能になる。
【００５８】
また、利用者が、自身の撮影画像を合成した合成画像をサーバー装置ＳＶにアップロードし、さらに合成画像をＳＮＳに投稿することにより、広告画像に広告を提供する提供元は、撮影専用のプロモデルやプロカメラマンによらずに大きな広告効果を有する広告写真を得ることができる上、多くの人の目にその広告写真を触れさせることが可能になり、広告画像に広告を提供する広告元にとっても安価で有益な撮影スタジオ装置を提供することができる。
【００５９】
さらに、カメラ２１等の撮影機材や制御装置などを収容している筐体２と、仕切部材４による撮影ブース３ａとを分解することができるので、例えば広告を提供する提供元が指定する場所への運搬を容易に行うことができ、しかも場所を選ばずに装置を設置することができ、撮影専用のプロモデルやプロカメラマンを必要とせずに広告写真を撮影可能な安価な撮影スタジオ装置を提供することができる。
【００６０】
また、従来の画像合成装置においても、合成画像を後に利用者がダウンロードして印刷することも可能であるが、従来の画像合成装置では切手大のシール台紙に印刷することが目的であるため、ダウンロードされた合成画像はファイルサイズが小さく、Ｌ版印画紙等のシール台紙よりも大きい印画紙に印刷した場合には画質が低く粗い写真となってしまっていた。上記した実施形態における撮影スタジオ装置１においては、後日、利用者によりＬ版印画紙等に印刷されることを考慮して、サーバー装置ＳＶにアップロードされる合成画像の画像処理を行うため、印画紙へプリントした場合も高画質な写真を得ることが可能である。
【００６１】
なお、本発明は上記した実施形態に限定されるものではなく、その趣旨を逸脱しない限りにおいて上述したものに種々の変更を行うことができる。
【００６２】
例えば、上記した実施形態では、広告画像が静止画であり、利用者の撮影画像も静止画であって、静止画の撮影画像を広告画像に合成する場合について説明したが、カメラ２１が動画の撮影も可能であって、広告画像も動画により形成され、カメラ２１により撮影された動画の撮影画像を動画の広告画像に合成して動画の合成画像を形成しアップロードするようにしてもよく、カメラ２１により撮影された動画の撮影画像を静止画の広告画像に合成して動画の合成画像を形成しアップロードするようにしてもよい。さらに、広告画像が動画でこれに静止画の撮影画像を合成してもよい。ここで、利用者の動画を撮影する場合には、上記したストロボ発光部２４およびストロボ制御装置２５は不要であり、利用者の静止画を撮影する場合であっても必ずしもストロボ発光部２４およびストロボ制御装置２５は必要ではない。
【００６３】
また、上記した実施形態における筐体２の外側面に広告用表示手段として液晶ディスプレイ等の広告ディスプレイ装置を設け、広告ディスプレイ装置に得られた合成画像を表示するようにしてもよく、こうすると、筐体２に設けた広告ディスプレイ装置を広告媒体として利用するいわゆるサイネージを実現できる上、撮影ブース内で撮影され広告画像に合成された合成画像を広告用表示手段に表示することによって、撮影スタジオ装置１の設置場所において、素人である利用者をモデルとした合成画像を利用した広告宣伝が可能になり、これまでにない新しい広告機能を期待することができる。
【００６４】
上記した実施形態では、筐体２に設けられた編集ブース３ｂでの編集作業に基づく編集処理をＣＰＵ６１が行う場合について説明したが、本発明では、必ずしも編集ブース３ｂが設けられていなくてもよい。そして、この編集ブース３ｂの位置に、上記した広告ディスプレイ装置を設けてもよい。
【００６５】
また、メモリ６２に記憶させる広告画像は、上したように広告元が予め準備したものに限らず、撮影スタジオ装置１の設置場所で他のカメラで撮影されたり、インターネットなどの通信網を介して取り込まれるなどして準備され、メモリ６２に記憶されたものであってもよい。
【００６６】
また、上記した実施形態では、利用者によるリモコン装置２９の操作により送信される操作信号をセンサー２８が受信したタイミングでカメラ２１のシャッターおよびストロボ発光部２４を作動させたが、例えばタイマ撮影を行うべく作動手段としてのタイマを設け、ＣＰＵ６１により、タイマのタイムアップ時点を本発明におけるオン信号の出力タイミングと判断して、このタイミングでＣＰＵ６１によりカメラ２１のシャッターおよびストロボ発光部２４を作動させるようにしてもよい。このとき、タイマのカウントダウンの音声を撮影部スピーカ２７から出力するように、ＣＰＵ６１により音声制御部６４を制御してもよい。
【００６７】
また、上記した実施形態において、図２に示すようにコイン受付部Kを設けて利用者の撮影を有料化し、図５のステップＳ１２において所定金額のコインの投入を受け付けたかどうかにより撮影を開始してよいかどうかを判断するようにしてもよいのは勿論である。
【００６８】
また、仕切部材４は、上記したように平面視でＵ字状またはコ字状をなすものに限定されるものではなく、要するに筐体２と着脱自在であって筐体２と合体することで撮影ブース３ａを形成できるものであればよい。
【符号の説明】
【００６９】
１    …撮影スタジオ装置
２    …筐体
３ａ  …撮影ブース
４    …仕切り部材
２１  …カメラ
２２  …撮影部モニタ（表示手段）
６１  …ＣＰＵ（制御手段、選択操作手段）
６２  …メモリ（記憶手段）
７３  …通信装置（通信手段）
【図１】
2018207365.tif 000003
【図２】
2018207365.tif 000004
【図３】
2018207365.tif 000005
【図４】
2018207365.tif 000006
【図５】
2018207365.tif 000007
【図６】
2018207365.tif 000008